(57)【要約】【課題】製版後の刷版を収納する収納部から所望の刷版を取り出しやすくして作業効率を良くするとともに、その設置スペースを小さくすることができる刷版収納装置を提供すること。【解決手段】製版後の刷版を搬送する刷版搬送部Ａと、刷版搬送部Ａに隣接して配置され刷版搬送部Ａから搬送された刷版９を収納する刷版収納部Ｂとからなり、刷版搬送部Ａに、製版後の刷版９を水平方向に搬送する水平搬送部１と、水平搬送部１上の刷版９を保持可能な保持手段２と、刷版９を保持した保持手段２を水平方向に移動させるとともに刷版収納部Ｂまでの水平移動距離を制御可能な水平移動手段３と、刷版９を保持した保持手段２を垂直方向に回動させて刷版９を水平移動手段３の移動方向と直交するように起立させる回動手段４とを設け、刷版収納部Ｂに、起立した刷版９を一定間隔で保持する垂直保持部８を設けた。【選択図】図１
2005186458.tif 000002
【特許請求の範囲】
【請求項１】
製版後の刷版を搬送する刷版搬送部と、刷版搬送部に隣接して配置され刷版搬送部から搬送された刷版を収納する刷版収納部とを備えた刷版収納装置において、
刷版搬送部が、製版後の刷版を水平方向に搬送する水平搬送部と、水平搬送部上の刷版を保持可能な保持手段と、刷版を保持した保持手段を水平方向に移動させるとともに刷版収納部までの水平移動距離を制御可能な水平移動手段と、刷版を保持した保持手段を垂直方向に回動させて刷版を水平移動手段の移動方向と直交するように起立させる回動手段とを有し、
刷版収納部が、起立した刷版を一定間隔で保持する垂直保持部を有することを特徴とする刷版収納装置。
【請求項２】
保持手段、水平移動手段及び回動手段を、水平搬送部の下方に配置した請求項１に記載の刷版収納装置。
【請求項３】
刷版を版胴に装着するために形成した刷版の折り曲げ部の印刷面側に、版胴への装着位置を示す情報を表示した請求項１又は２に記載の刷版収納装置。
【発明の詳細な説明】
【技術分野】
【０００１】
本発明は、製版機で製版された製版後の刷版を起立させて収納する刷版収納装置に関する。
【背景技術】
【０００２】
従来、製版後の刷版を起立させて収納する刷版収納装置としては、特許文献１に記載されている薄板起立装置が知られている。
【０００３】
しかし、特許文献１に記載の薄板起立装置では、起立させた刷版をストック台に積み重ねて収納するようにしているので、次工程で刷版を版胴に装着する際に、作業者が所望の刷版を取り出しにくく作業効率が悪いという問題があった。
【０００４】
これに対して、特許文献２には、起立させた板材を、板材収納台車上に所定の間隔を保持して収納するようにした板材収納装置が記載されている。この特許文献２に記載の板材収納装置は、板材加工機から搬出された板材を回転テーブル上で水平に支持するとともに、搬送方向と並行となるように垂直に回動させて起立させ、この起立させた板材を回転テーブルから押し出し、押し出された板材を板材収納台車に収納するようにしたものである。また、板材収納台車が板材搬送方向と直交する方向に移動可能なように床に凹部を形成するとともに凹部内にレールを敷設し、板材収納台車には押し出された各板材を間隔を保持して起立状態で収納可能な仕切部材を設けている。そして、この仕切部材に１枚の板材を収納した後、１仕切分だけ板材収納台車を移動させ、次の押し出された板材を先に収納した板材と間隔を保持して収納するようにしている。
【０００５】
しかし、特許文献２に記載の板材収納装置では、板材収納台車を設置する床には板材収納台車が移動する距離分だけ凹部を形成する必要があり、その凹部に作業者がつまずくおそれがある。また、板材収納台車が移動する部分のスペースが必要となるため、装置の占有スペース以上の設置スペースが必要となる。さらに、作業開始時と作業終了時では板材収納台車の位置が異なるため、移動後の板材収納台車に気付かなかった作業者が衝突して負傷するおそれもあった。
【特許文献１】特開平１１−１１７６７号公報
【特許文献２】特許第２８３１６９０号公報
【発明の開示】
【発明が解決しようとする課題】
【０００６】
本発明が解決しようとする課題は、製版後の刷版を収納する収納部から所望の刷版を取り出しやすくして作業効率を良くするとともに、その設置スペースを小さくすることができる刷版収納装置を提供することにある。
【課題を解決するための手段】
【０００７】
本発明は、製版後の刷版を搬送する刷版搬送部と、刷版搬送部に隣接して配置され刷版搬送部から搬送された刷版を収納する刷版収納部とを備えた刷版収納装置において、刷版搬送部が、製版後の刷版を水平方向に搬送する水平搬送部と、水平搬送部上の刷版を保持可能な保持手段と、刷版を保持した保持手段を水平方向に移動させるとともに刷版収納部までの水平移動距離を制御可能な水平移動手段と、刷版を保持した保持手段を垂直方向に回動させて刷版を水平移動手段の移動方向と直交するように起立させる回動手段とを有し、刷版収納部が、起立した刷版を一定間隔で保持する垂直保持部を有することを特徴とするものである。
【０００８】
本発明において、保持手段、水平移動手段及び回動手段は、水平搬送部の下方に配置させることが好ましい。
【０００９】
また、刷版を版胴に装着するために形成した刷版の折り曲げ部の印刷面側には、その刷版がどの版胴のどの位置に取り付けられるものであるか等の版胴への装着位置を示す情報を表示することができる。
【発明の効果】
【００１０】
本発明によれば、製版後の刷版を一定間隔を保持して垂直に起立させて収納できることから、次工程で刷版を版胴に装着する際に、所望の刷版を容易に取り出すことができる。また、本発明では、刷版の収納時に刷版収納部を移動させる必要がないので設置スペースを小さくすることができる。さらに、刷版収納部を移動させるためのレール等がないことから作業者がつまずくこともなく、作業の開始時と終了時とで装置の設置範囲も変化しないことから作業者が不注意等で装置に衝突するおそれもない。
【００１１】
さらに、水平移動する保持手段、水平移動手段及び回動手段を水平搬送部の下方に配置したものでは、刷版を刷版収納部に搬送する際に、上記各手段が刷版搬送部及び刷版収納部の占有スペースの範囲からはみ出すことがないから、装置全体をコンパクトにすることができるとともに設置スペースを最小限にできる。
【００１２】
また、刷版の折り曲げ部の印刷面側に、版胴への装着位置を示す情報を表示したものでは、刷版収納部に刷版を収納した状態で、刷版の折り曲げ部に表示した情報が見えることから、所望の刷版を容易に探し出すことができる。
【発明を実施するための最良の形態】
【００１３】
以下、図面に示す実施例に基づき本発明の実施の形態を説明する。
【００１４】
図１は本発明の刷版収納装置を示す正面図、図２は図１の要部を示す斜視図である。
【００１５】
本発明の刷版収納装置１０は、製版機２０に隣接して配置されている。製版機２０では、刷版を版胴に装着するための準備として、位置決め孔を形成するとともに、刷版の両端を、刷版の印刷面が外側になるように折り曲げて、くわえ側、くわえ尻側等の折り曲げ部を形成する。そして、刷版収納装置１０は、製版機２０から刷版を受け入れて収納する。
【００１６】
刷版収納装置１０は、製版機２０から刷版を受け入れて搬送する刷版搬送部Ａと、刷版搬送部Ａから搬送されてきた刷版を収納する刷版収納部Ｂとからなる。刷版搬送部Ａと刷版収納部Ｂは隣接して配置されている。
【００１７】
刷版搬送部Ａは、基台５上に設けられており、製版機２０からの刷版を水平方向に搬送する水平搬送部１と、水平搬送部１上の刷版９を保持可能な保持手段２と、保持手段２を水平方向に移動させる水平移動手段３と、保持手段２を垂直方向に回動させて刷版９を水平移動手段３の移動方向と直交するように起立させる回動手段４とを有している。このうち、水平搬送部１は基台５上に固定的に設けられており、保持手段２と水平移動手段３と回動手段４は、水平搬送部１の下方に配置し、基台５上のレール５ａに沿って水平移動可能な移動基台６上に設けられている。
【００１８】
水平搬送部１は、コンベア駆動モータ１ａによって駆動される複数列のベルトコンベアからなり、このベルトコンベア部分の先端にはストッパ１ｂが設けられている。
【００１９】
保持手段２は、保持手段２のモータ、エアシリンダー等の駆動装置によって回動手段４とともに水平移動手段３の垂直壁３ａに沿って上下動可能であり、保持手段２の上端には刷版９を吸着保持するための吸着パッド２ａが複数設けられている。吸着パッド２ａは、吸着パッド２ａの制御装置によって、刷版９の吸着保持と吸着解除の切換が可能である。また、保持手段２の下端は回動手段４の回動軸４ａに固定されている。
【００２０】
回動手段４の回動軸４ａにはアーム４ｂが固定されており、アーム４ｂの先端にはエアシリンダー４ｃが連結されている。そして、エアシリンダー４ｃをエアシリンダー４ｃの制御装置で伸縮させるとアーム４ｂが回動軸４ａと共に回動し、これに伴って回動軸４ａに固定されている保持手段２が回動軸４ａ周りに垂直に回動する。これによって、保持手段２に保持された刷版９を起立させることができるようになっている。
【００２１】
水平移動手段３は、移動基台６をレール５ａに沿って水平移動させるための駆動装置を有し、さらに、その水平移動距離を制御可能なサーボモータ、ステッピングモータ等の制御装置を有する。水平移動手段３によって移動基台６を水平移動させることにより、移動基台６上の保持手段２と水平移動手段３と回動手段４が一体的に水平移動する。
【００２２】
刷版収納部Ｂは、下面にキャスター車輪７ａを設けて方向自在に移動可能とした台車７からなり、台車７上には、起立した刷版９を一定間隔で保持する垂直保持部８が設けられている。垂直保持部８は、刷版９を１枚ずつ保持するために一定間隔でスリット８ａを有し、このスリット８ａの上部は、刷版９を収納しやすいように幅広に開口させている。また、台車７上には、スリット８ａと平行となる奥側の辺縁に刷版収納部Ｂを移動させる際に作業者が把持する把持バー７ｂを設け、左右側の辺縁には収納した刷版９を保護する保護バー７ｃを設けている。
【００２３】
以下、上述した刷版収納装置１０による刷版の収納方法について説明する。図３は、刷版収納装置１０による刷版の収納手順を示す説明図である。
【００２４】
まず、図３（ａ）に示すように、刷版収納部Ｂを刷版搬送部Ａのベルトコンベア部分の先端側に隣接するように移動させ、スリット８ａが刷版９の搬送方向と直交するように図３（ｂ）に示す位置で、凹凸嵌合、フック等で位置決めしてロックする。この状態で製版機２０から刷版９を水平搬送部１上に受け入れる。受け入れられた刷版９は水平搬送部１によって刷版収納部Ｂに向けて水平方向に搬送され、図３（ｂ）に示すようにストッパ１ｂの位置で停止する。このとき、刷版９の両端に形成した折り曲げ部は、搬送方向と平行になる箇所に位置し、水平搬送部１のベルトコンベアは刷版９の折り曲げ部に当接しない箇所に配置させている。
【００２５】
次に、図３（ｃ）に示すように保持手段２を回動手段４とともに水平移動手段３の垂直壁３ａに沿って上昇させ、刷版９を水平搬送部１から持ち上げた状態で吸着保持する。そして、図３（ｄ）に示すように水平移動手段３によって移動基台６を刷版収納部Ｂに向けて水平移動させる。これに伴い保持手段２と回動手段４も刷版９を吸着保持した状態で刷版収納部Ｂに向けて水平移動する。
【００２６】
次に、図３（ｅ）に示すように、回動手段４によって保持手段３を刷版収納部Ｂ方向に向けて垂直に回動させて刷版９を起立させる。その後、図３（ｆ）に示すように、水平移動手段３によって移動基台６を移動させることで保持手段２を水平移動させ、保持手段２に保持された起立状態の刷版９が刷版収納部Ｂの垂直保持部８における所定位置のスリット８ａの真上に来るようにする。このときの水平移動距離は、先に説明した水平移動手段３の制御装置によって制御される。
【００２７】
次に、図３（ｇ）に示すように保持手段２を下降させ、刷版９の下端部分を所定位置のスリット８ａに挿入する。その後、図３（ｈ）に示すように、保持手段２による刷版９の吸着保持を解除し、水平移動手段３によって移動基台６を刷版搬送部Ａに向けて水平移動させる。そして、図３（ｉ）に示すように回動手段４によって保持手段２を回動させて元の状態に戻し、次いで、水平移動手段３によって移動基台６を刷版搬送部Ａに向けてさらに水平移動させ、移動基台６を図３（ｊ）に示す元の位置に戻す。これによって、次の刷版９を受け入れる準備が整う。以降は、図３（ａ）〜（ｊ）の工程を繰り返し、順次、刷版９を刷版収納部Ｂに収納する。この際、図３（ｆ）の工程における水平移動手段３の水平移動距離は、垂直保持部８におけるスリット８ａの一間隔分だけ短くなるように制御する。その後、刷版収納部Ｂのロックを解除した後、刷版収納部Ｂを輪転機の近くまで移動させ、所望の刷版９を版胴に装着する。なお、輪転機が近い場合には、刷版収納部Ｂを移動させずに所望の刷版９を１枚ずつ取り出してもよい。
【００２８】
以上のとおり、本発明の刷版収納装置１０によれば、製版後の刷版９を一定間隔を保持して垂直に起立させて収納できる。そして、本実施例の刷版収納装置１０では、保持手段２、水平移動手段３及び回動手段４は水平搬送部１の下方に配置されており、刷版９を刷版収納部Ｂに搬送する際に、上記各手段が刷版搬送部Ａ及び刷版収納部Ｂの占有スペースの範囲からはみ出すことがない。また、刷版収納部Ｂは、キャスター車輪７ａによって方向自在に移動可能であることから、少なくとも刷版収納部Ｂを一方向に移動させることができるスペースがあればよい。したがって、装置全体をコンパクトにすることができるとともに設置スペースを最小限にできる。
【００２９】
図４は、刷版収納部Ｂの垂直保持部８に保持された刷版９の要部を示す斜視図である。同図に示すように、刷版９の折り曲げ部９ａの印刷面側には、版胴への装着位置を示す情報９ｂが表示されている。
【００３０】
このようにすることで、刷版収納部Ｂに刷版９を収納した状態で、刷版９の折り曲げ部９ａに表示した情報９ｂが見えることから、所望の刷版９を容易に探し出すことができる。なお、情報９ｂは、刷版の製版時に印刷して表示することもできるし、刷版収納部Ｂに収納した後に、シール等を貼ることによって表示することもできる。
【００３１】
なお、垂直保持部８は、刷版９の印刷面を損傷させないように樹脂等で成形するのが好ましく、その高さは、刷版９が位置決め孔９ｃから折れ曲がらないように位置決め孔９ｃより高くするのが好ましい。また、刷版９を確実に保持できれば垂直保持部８の形状は限定されず、起立させた刷版９が前後に揺れるのを防止するために、垂直保持部８のスリット８ａを若干傾斜させてもよい。傾斜させたスリット８ａに刷版９を収納する際には、スリット８ａの傾斜に合わせて回動手段４を制御する。
【産業上の利用可能性】
【００３２】
本発明は、製版後の刷版を収納する刷版収納装置として利用可能である。
【図面の簡単な説明】
【００３３】
【図１】本発明の刷版収納装置を示す正面図である。
【図２】図１の要部を示す斜視図である。
【図３】本発明の刷版収納装置による刷版の収納手順を示す説明図である。
【図４】刷版の収納状態を示す拡大斜視図である。
【符号の説明】
【００３４】
１  水平搬送部
１ａ  コンベア駆動モータ
１ｂ  ストッパ
２  保持手段
２ａ  吸着パッド
３  水平移動手段
３ａ  垂直壁
４  回動手段
４ａ  回動軸
４ｂ  アーム
４ｃ  エアシリンダー
５  基台
５ａ  レール
６  移動基台
７  台車
７ａ  キャスター車輪
７ｂ  把持バー
７ｃ  保護バー
８  垂直保持部
８ａ  スリット
９  刷版
９ａ  折り曲げ部
９ｂ  情報
１０  刷版収納装置
Ａ  刷版搬送部
Ｂ  刷版収納部
【図１】
2005186458.tif 000003
【図２】
2005186458.tif 000004
【図３】
2005186458.tif 000005
【図４】
2005186458.tif 000006